(57)【要約】【課題】本発明は、ノートパソコンの体積を増大しない条件下で、発熱電子部品の放熱効果を高めることができる遠心ファン、該遠心ファンを有する放熱装置及び該放熱装置を使う電子装置を提供することを目的とする。【解決手段】本発明に係る遠心ファンは、ローターと、頂壁及び側壁からなる上カバー及び下カバーによって前記ローターを収容する収容空間を形成し、前記上カバーと前記下カバーの一方の前記ローターに対応する位置に吹入口が設置され、前記側壁に第一吹出口が設置されるフレームと、を備え、前記上カバーと前記下カバーとの間における前記第一吹出口の片側にエアガイド部が設置され、前記エアガイド部は、前記第一吹出口の吹出辺縁に沿って設置されるガイド壁を備え、前記エアガイド部のガイド壁と前記側壁との間に前記第一吹出口に隣り合う第二吹出口が形成され、前記第二吹出口の吹出方向と前記第一吹出口の吹出方向が直交する。【選択図】図２
2010216482.tif 000002
【特許請求の範囲】
【請求項１】
ローターと、
頂壁及び側壁からなる上カバー及び下カバーによって前記ローターを収容する収容空間を形成し、前記上カバーと前記下カバーの一方の前記ローターに対応する位置に吹入口が設置され、前記側壁に第一吹出口が設置されるフレームと、
を備えてなる遠心ファンにおいて、
前記上カバーと前記下カバーとの間における前記第一吹出口の片側にエアガイド部が設置され、前記エアガイド部は、前記第一吹出口の吹出辺縁に沿って設置されるガイド壁を備え、前記エアガイド部のガイド壁と前記側壁との間に前記第一吹出口に隣り合う第二吹出口が形成され、前記第二吹出口の吹出方向と前記第一吹出口の吹出方向が直交することを特徴とする遠心ファン。
【請求項２】
前記側壁は、直線部及びアーク部を備え、前記アーク部と前記ローターとの間の距離は、前記直線部と前記ローターとの間の距離より小さく、前記アーク部の前記第二吹出口に隣り合う位置に前記頂壁に平行する舌状物が設置されることを特徴とする請求項１に記載の遠心ファン。
【請求項３】
前記舌状物の前記エアガイド部に近付く一端から前記頂壁に向かって垂直的に延伸して側板が形成され、前記第二吹出口は、前記側板と、前記頂壁及び前記ガイド壁が囲んで形成されることを特徴とする請求項２に記載の遠心ファン。
【請求項４】
前記ガイド壁は、前記吹出辺縁から前記ローターから離れる方向へ傾斜的に延伸する傾斜部と、該傾斜部から前記頂壁及び前記下カバーに直交するように延伸する垂直部と、を備えることを特徴とする請求項１または請求項３に記載の遠心ファン。
【請求項５】
前記エアガイド部は、前記ガイド壁の前記第一吹出口に近付く内側端から前記収容空間に向かって延伸する分流壁を更に備え、前記第一吹出口は、前記側壁の直線部と、前記頂壁及び前記分流壁が囲んで形成されることを特徴とする請求項１または請求項３に記載の遠心ファン。
【請求項６】
請求項１〜請求項６のいずれの一項に記載の遠心ファンと、前記遠心ファンの第一吹出口に設置される複数の放熱フィンと、を備えることを特徴とする放熱装置。
【請求項７】
第一発熱電子部品と、
請求項１〜請求項６のいずれの一項に記載の遠心ファン、前記遠心ファンの第一吹出口に設置される複数の放熱フィン及び前記第一発熱電子部品と前記複数の放熱フィンとの間に連接されるヒートパイプを含む放熱装置と、
前記遠心ファンの第二吹出口に対向して設置される第二発熱電子部品と、
を備えてなる電子装置。
【発明の詳細な説明】
【技術分野】
【０００１】
本発明は、遠心ファンに関するものであって、特に発熱電子部品からの熱量を放熱する遠心ファン、該遠心ファンを有する放熱装置及び該放熱装置を使う電子装置に関するものである。
【背景技術】
【０００２】
ノートパソコンにおいて、通常放熱装置を採用してＣＰＵ（Ｃｅｎｔｒａｌ  Ｐｒｏｃｅｓｓｉｎｇ  Ｕｎｉｔ，中央処理装置）などの発熱電子部品に対して放熱が行われる。従来の放熱装置は、吹出口を有する遠心ファンと、該遠心ファンの吹出口に設置される複数の放熱フィンと、複数の放熱フィンと発熱電子部品を連接するヒートパイプと、を備える。前記放熱装置は、前記ヒートパイプを通して前記発熱電子部品からの熱量を複数の放熱フィンに伝送し、且つ前記遠心ファンの作動によって生じる気流を利用して複数の放熱フィンに伝送された熱量を周囲の空気に放熱することにより、前記発熱電子部品に関して放熱する。ＣＰＵ近傍の記憶装置のような他の発熱電子部品の温度も高いため、他の発熱電子部品の放熱効果を高めるために、通常ノートパソコン内にＣＰＵ放熱用遠心ファンを設置するばかりではなく、発熱電子部品を吹く遠心ファンも増設して、他の発熱電子部品の温度を下げる。
【０００３】
しかし、前記増設した遠心ファンはノートパソコンの内部空間を占拠するため、ノートパソコンの体積及び重量が増大し、ノートパソコンの薄型化、軽量化の発展趨勢に背き、上述のような発熱電子部品の放熱効果を高める放熱方法は理想ではない。
【発明の開示】
【発明が解決しようとする課題】
【０００４】
本発明の目的は、前記課題を解決し、ノートパソコンの体積を増大しない条件下で、発熱電子部品の放熱効果を高めることができる遠心ファン、該遠心ファンを有する放熱装置及び該放熱装置を使う電子装置を提供することである。
【課題を解決するための手段】
【０００５】
本発明に係る遠心ファンは、ローターと、頂壁及び側壁からなる上カバー及び下カバーによって前記ローターを収容する収容空間を形成し、前記上カバーと前記下カバーの一方の前記ローターに対応する位置に吹入口が設置され、前記側壁に第一吹出口が設置されるフレームと、を備え、前記上カバーと前記下カバーとの間における前記第一吹出口の片側にエアガイド部が設置され、前記エアガイド部は、前記第一吹出口の吹出辺縁に沿って設置されるガイド壁を備え、前記エアガイド部のガイド壁と前記側壁との間に前記第一吹出口に隣り合う第二吹出口が形成され、前記第二吹出口の吹出方向と前記第一吹出口の吹出方向が直交する。
【０００６】
本発明に係る放熱装置は、前記遠心ファンと、前記遠心ファンの第一吹出口に設置される複数の放熱フィンと、を備える。
【０００７】
本発明に係る電子装置は、第一発熱電子部品と、前記遠心ファン、前記遠心ファンの第一吹出口に設置される複数の放熱フィン及び前記第一発熱電子部品と前記複数の放熱フィンとの間に連接されるヒートパイプを含む放熱装置と、前記遠心ファンの第二吹出口に対向して設置される第二発熱電子部品と、を備える。
【発明の効果】
【０００８】
従来の技術に比べて、本発明に係わる遠心ファンは、第一吹出口に隣り合って第二吹出口を増設して、前記第一吹出口に設置される複数の放熱フィンを通して１つの発熱電子部品に関して放熱するとともに、前記第二吹出口から吹出する気流を通してもう１つの発熱電子部品に対して放熱を行うため、放熱装置のコストを増加しなく且つノートパソコンの体積を増大しない条件下で、発熱電子部品に対する放熱装置の放熱効率を高める。前記遠心ファンのエアガイド部は、気流が第二吹出口から吹出するようにガイドするため、前記遠心ファンは前記第二吹出口近傍に位置する発熱電子部品に対して放熱を行うとともに、ノートパソコン内部の温度も下げることができる。
【図面の簡単な説明】
【０００９】
【図１】本発明の実施形態に係る放熱装置が電子装置内に設置された構造を示す図である。
【図２】図１に示す放熱装置の立体分解図である。
【図３】図２に示す放熱装置の遠心ファンの下カバーを取り外した後の別の視角からの立体図である
【図４】図３に示す遠心ファンに複数の放熱フィンを設置した構造を示す図である。
【発明を実施するための最良の形態】
【００１０】
以下、図面を参照して、本発明の実施形態について説明する。
【００１１】
図１に示すように、前記放熱装置１０は、複数の放熱フィン１２と、前記複数の放熱フィン１２に対して放熱を行う遠心ファン１４と、前記複数の放熱フィン１２と発熱電子部品３０とを連接するヒートパイプ１６と、を備える。前記放熱装置１０は、電子装置２０内に設置されて、前記電子装置２０の２つの発熱電子部品３０、４０に対して、放熱するために用いられる。前記電子装置２０は、ノートパソコンであることができ、前記発熱電子部品３０は、ＣＰＵ又は表示チップであることができ、前記発熱電子部品４０は、記憶装置であることができる。前記発熱電子部品４０は、前記遠心ファン１４の片側に設置される。
【００１２】
前記遠心ファン１４は、フレーム１４０及び該フレーム１４０内に設置されるローター１５０を備える。図２に示したように、前記フレーム１４０は、平板状の頂壁１４１及び渦巻状の側壁１４３からなる上カバー１４４と、平板状の下カバー１４２と、エアガイド部１６０と、を備える。本実施形態において、前記側壁１４３及び前記エアガイド部１６０は、前記頂壁１４１の外周縁から下へ延伸して前記頂壁１４１と一体成型されるが、先ず前記側壁１４３及び前記エアガイド部１６０を単独に製作してから前記頂壁１４１に連接してもよい。前記上カバー１４４と前記下カバー１４２によって前記遠心ファン１４のローター１５０を収容する収容空間１４５（図３を参照してください）を形成する。前記上カバー１４４と前記下カバー１４２の一方の前記ローター１５０に対応する位置に吹入口が開設されており、本実施例において、前記上カバー１４４の前記ローター１５０に対応する位置に円環状の第一吹入口１４６が開設されており、前記下カバー１４２の前記ローター１５０に対応する位置に三つのアーク状の第二吹入口１４７が開設される。前記下カバー１４２略中心位置には、前記ローター１５０を支持する支持部１４８が設置されており、前記支持部１４８は前記三つの第二吹入口１４７に囲まれる。
【００１３】
図３に示したように、前記側壁１４３は、半閉鎖の構造であって、アーク部１４３０及び直線部１４３１を備える。前記アーク部１４３０と前記ローター１５０との間の距離は、前記直線部１４３１と前記ローター１５０との間の距離より小さい。前記側壁１４３の閉鎖しなかった片側は第一吹出口１７０である。前記アーク部１４３０の前記第一吹出口１７０に隣り合う位置に前記頂壁１４１に平行する舌状物１４３２が設置される。前記舌状物１４３２は、前記アーク部１４３０の前記第一吹出口１７０に隣り合う部分の上辺から外側へ垂直的に延伸して前記アーク部１４３０と一体成型される。
【００１４】
前記エアガイド部１６０は、前記第一吹出口１７０の前記舌状物１４３２に近付く片側に設置されており、前記第一吹出口１７０の吹出辺縁１７０１に沿って設置されるガイド壁１６４及び該ガイド壁１６４の前記第一吹出口１７０に近付く内側端から前記収容空間１４５に向かって延伸する分流壁１６６を備える。前記ガイド壁１６４と前記第一吹出口１７０の吹出辺縁１７０１は同じ直線上に位置する。前記第一吹出口１７０は、前記側壁１４３の直線部１４３１と、前記頂壁１４１及び前記分流壁１６６が囲んで形成される。
【００１５】
前記舌状物１４３２の前記エアガイド部１６０に近付く一端から前記頂壁１４１に向かって垂直的に延伸して側板１４３３が形成される。前記側板１４３３、前記ガイド壁１６４及び前記側壁１４３の高さは同じである。前記エアガイド部１６０のガイド壁１６４と前記側板１４３３との間に第二吹出口１８０が形成される。前記第二吹出口１８０は、前記側板１４３３と、前記頂壁１４１及び前記ガイド壁１６４が囲んで形成される。前記第二吹出口１８０の吹出方向と前記第一吹出口１７０の吹出方向は直交する。
【００１６】
前記ガイド壁１６４は、前記上カバー１４１に連接される傾斜部１６４０及び該傾斜部１６４０に連接される垂直部１６４２を備える。前記傾斜部１６４０は、前記吹出辺縁１７０１から前記ローター１５０から離れる方向へ傾斜的に延伸する。前記垂直部１６４２は、前記傾斜部１６４０から前記頂壁１４１及び前記下カバー１４２に直交するように延伸する。前記分流壁１６６は、三角錐台状であって、前記第一吹出口１７０に向かい合う第一側面１６６１及び前記第二吹出口１８０に向かい合う第二側面１６６２を備え、前記第一側面１６６１と前記第二側面１６６２は、前記遠心ファン１４の内部で直線１６６３に交差する。前記第一側面１６６１は、前記ガイド壁１６４の垂直部１６４２に直交し、前記第二側面１６６２は、前記ガイド壁１６４の垂直部１６４２と鈍角を形成する。
【００１７】
図４に示したように、前記複数の放熱フィン１２は、互いに平行し、且つ前記遠心ファン１４の第一吹出口１７０に設置される。両側の放熱フィン１２は、それぞれ前記分流壁１６６の第一側面１６６１及び前記側壁１４３の直線部１４３１の端末に接触する。
【００１８】
前記放熱装置１０が作動する時、前記ヒートパイプ１６は前記発熱電子部品３０からの熱量を前記複数の放熱フィン１２に伝送し、前記複数の放熱フィン１２のより大きい熱交換面積を通して放熱する。前記遠心ファン１４のローター１５０が運転する時、前記第一吹入口１４６及び前記第二吹入口１４７から吸入する気流の一部分は、前記第一吹出口１７０から前記複数の放熱フィン１２を吹いて、前記複数の放熱フィン１２の間の高温気流を前記電子装置２０の外部に吹いて、前記発熱電子部品３０に関して放熱をし、前記第一吹入口１４６及び前記第二吹入口１４７から吸入する気流の他の一部分は、前記分流壁１６６の第二側面１６６２及び前記側板１４３３と前記ガイド壁１６４にガイドされて前記第二吹出口１８０から前記発熱電子部品４０及び前記電子装置２０の内部を吹いて、前記発熱電子部品４０に関して放熱をするとともに、前記電子装置２０の内部温度を下げる。前記舌状物１４３２は、前記側板１４３３の近傍に設置されるため、前記分流壁１６６を補助して、前記第二吹出口１８０に流れる気流をガイドすることができ、その気流強度も増強できる。
【００１９】
前記放熱装置１０は、前記電子装置２０の体積及び重量を増加しない条件下で、前記遠心ファン１４に第二吹出口１８０を増設する方式で放熱効率を高めることができ、従来の遠心ファンを増設して放熱効率を高める放熱装置に比べて、コストを下げるとともに放熱効率を高めることができる。前記第一吹出口１７０は前記第二吹出口１８０より大きいため、より大きい気流が前記第一吹出口１７０から前記複数の放熱フィン１２を吹き、発熱量が高い発熱電子部品３０に関して放熱をするとともに、前記分流壁１６６によってさらに多い気流を前記第二吹出口１８０から前記発熱電子部品１４０を吹いてその放熱をする。
【００２０】
前記放熱装置１０のヒートパイプ１６で前記２つの発熱電子部品３０，４０と前記複数の放熱フィン１２を連接することにより、前記放熱ファン１４の第二吹出口１８０から吹出する気流及び前記複数の放熱フィン１２によって前記発熱電子部品４０に対して放熱を実施することもできる。
【００２１】
以上本発明を実施例に基づいて具体的に説明したが、本発明は、上述の実施例に限定されるものではなく、その要旨を逸脱しない範囲において、種種変更可能であることは勿論であって、本発明の保護範囲は、以下の特許請求の範囲から決まる。
【符号の説明】
【００２２】
１０  放熱装置
１２  放熱フィン
１４  遠心ファン
１６  ヒートパイプ
２０  電子装置
３０，４０  発熱電子部品
１４０  フレーム
１４１  頂壁
１４２  下カバー
１４３  側壁
１４４  上カバー
１４５  収容空間
１４６  第一吹入口
１４７  第二吹入口
１４８  支持部
１５０  ローター
１６０  エアガイド部
１６４  ガイド壁
１６６  分流壁
１７０  第一吹出口
１８０  第二吹出口
１４３０  アーク部
１４３１  直線部
１４３２  舌状部
１４３３  側板
１６４０  傾斜部
１６４２  垂直部
１６６１  第一側面
１６６２  第二側面
１６３３  直線
１７０１  吹出辺縁
【図１】
2010216482.tif 000003
【図２】
2010216482.tif 000004
【図３】
2010216482.tif 000005
【図４】
2010216482.tif 000006